(57)【要約】      （修正有）【課題】電子取引における金額を入力する際に、入力者が自分の入力した金額を直観的に把握することができ、誤入力が見過ごされる可能性を低下させることができる入力金額表示装置、プログラム、サーバ装置、方法を提供する。【解決手段】金額の入力を受け付け、受け付けられた入力金額を取得する取得手段と、入力金額を表す数字を第１表示領域に表示させる第１表示制御手段と、予め用意された、金額が異なる複数種の貨幣に対応した貨幣画像データと、各貨幣画像データに対応する貨幣の価値情報とに基づき、入力金額と等価の貨幣を表す一つ以上の貨幣画像データを生成する貨幣画像生成手段と、貨幣画像生成手段において生成された一つ以上の貨幣画像データが示す貨幣画像を第２表示領域に表示させる第２表示制御手段と、を備える。【選択図】図８
2011118472.tif 000002
【特許請求の範囲】
【請求項１】
金額の入力を受け付け、受け付けられた入力金額を取得する取得手段と、
前記入力金額を表す数字を第１表示領域に表示させる第１表示制御手段と、
予め用意された、金額が異なる複数種の貨幣に対応した貨幣画像データと、各貨幣画像データに対応する貨幣の価値情報とに基づき、前記入力金額と等価の貨幣を表す一つ以上の貨幣画像データを生成する貨幣画像生成手段と、
前記貨幣画像生成手段において生成された前記一つ以上の貨幣画像データが示す貨幣画像を第２表示領域に表示させる第２表示制御手段と、
を備えることを特徴とする入力金額表示装置。
【請求項２】
請求項１に記載の入力金額表示装置であって、
ユーザによって選択された前記貨幣の単位を検出し、当該選択された貨幣の単位を設定する貨幣単位設定手段と、
単位が異なる複数種類の貨幣間の交換レートが記憶された為替レート記憶手段と、
を更に備え、
前記貨幣画像生成手段は、前記為替レート記憶手段に記憶された為替レートを参照して、前記取得された入力金額を前記設定された貨幣の単位に基づいて換算した金額と等価の貨幣を表す一つ以上の貨幣画像データを生成することを特徴とする入力金額表示装置。
【請求項３】
請求項１又は請求項２に記載の入力金額表示装置であって、
前記金額は、商品の価格を示すことを特徴とする入力金額表示装置。
【請求項４】
請求項１乃至請求項３の何れか一項に記載の入力金額表示装置であって、
前記取得手段は、ユーザによる金額を入力する操作を検出することで、金額の入力を受け付け、受け付けられた金額を取得することを特徴とする入力金額表示装置。
【請求項５】
コンピュータを、
金額の入力を受け付け、受け付けられた入力金額を取得する取得手段、
前記入力金額を表す数字を第１表示領域に表示させる第１表示制御手段、
予め用意された、金額が異なる複数種の貨幣に対応した貨幣画像データと、各貨幣画像データに対応する貨幣の価値情報とに基づき、前記入力金額と等価の貨幣を表す一つ以上の貨幣画像データを生成する貨幣画像生成手段と、
前記貨幣画像生成手段において生成された前記一つ以上の貨幣画像データが示す貨幣画像を第２表示領域に表示させる第２表示制御手段、
として機能させることを特徴とする入力金額表示プログラム。
【請求項６】
金額の入力を受け付け、受け付けられた入力金額を取得する入力金額表示装置が、電気通信回線網を介して接続される入力金額表示用サーバ装置であって、
前記入力金額表示装置から、当該入力数値表示装置が取得した前記入力金額を示す金額情報を受信する受信手段と、
予め用意された、金額が異なる複数種の貨幣に対応した貨幣画像データと、各貨幣画像データに対応する貨幣の価値情報とに基づき、前記金額情報が示す入力金額と等価の貨幣を表す一つ以上の貨幣画像データを生成するサーバ貨幣画像生成手段と、
前記生成した貨幣画像データを前記入力金額表示装置に送信して、前記入力金額表示装置に前記貨幣画像データが示す貨幣画像を表示させる送信手段と、
を備えることを特徴とする入力金額表示用サーバ装置。
【請求項７】
コンピュータが、金額の入力を受け付け、受け付けられた入力金額を取得するステップと、
前記コンピュータが、前記入力金額を表す数字を第１表示領域に表示させるステップと、
前記コンピュータが、予め用意された、金額が異なる複数種の貨幣に対応した貨幣画像データと、各貨幣画像データに対応する貨幣の価値情報とに基づき、前記入力金額と等価の貨幣を表す一つ以上の貨幣画像データを生成するステップと、
前記コンピュータが、生成された前記一つ以上の貨幣画像データが示す貨幣画像を第２表示領域に表示させるステップと、
を含むことを特徴とする入力金額表示方法。
【発明の詳細な説明】
【技術分野】
【０００１】
本発明は、ユーザが金額を入力する際に用いられる入力金額表示装置、入力金額表示プログラム、入力金額表示用サーバ装置、入力金額表示方法の技術分野に関する。
【背景技術】
【０００２】
従来、電子取引における金額の誤入力が問題となっている。例えば、ネットオークションにおいて入札者が入札価格として自分の意図する価格より高い価格を誤入力してしまうことや、いわゆるネットショップにおいて販売価格の入力者が本来設定すべき価格より安い価格を誤入力してしまうことなどが問題となる。また、電子取引に限らず、情報処理社会において情報処理装置に金額を入力する機会は多岐にわたり何れの場面においても、金額の誤入力は大きな経済的損失や信用失墜の原因となり得る。
【０００３】
こうした問題に対して特許文献１（[００４８]段落〜[００５３]段落、図７）には、入力された「金額」×「数量」を計算し、その計算結果が所定の制限値を超えている場合には、金額の誤入力の可能性があるとして入力者に警告をする旨が記載されている。
【先行技術文献】
【特許文献】
【０００４】
【特許文献１】特開２００２−２０３１４３号公報
【発明の概要】
【発明が解決しようとする課題】
【０００５】
しかしながら、特許文献１に記載の技術によれば、上記計算結果が所定の制限値を超えるような「金額」又は「数量」が入力された場合には警告の対象となるが、制限値内で誤入力された場合には警告の対象とならず、誤入力が見逃されるおそれがある。
【０００６】
本発明は、こうした問題点に鑑みてなされたものであり、その課題の一例は、入力者が自分の入力した金額を直観的に把握することができ、誤入力が見過ごされる可能性を低下させることのできる入力金額表示装置、入力金額表示プログラム、入力金額表示用サーバ装置、入力金額表示方法を提供することにある。
【課題を解決するための手段】
【０００７】
上記課題を解決するために、請求項１に記載の入力金額表示装置は、金額の入力を受け付け、受け付けられた入力金額を取得する取得手段と、入力金額を表す数字を第１表示領域に表示させる第１表示制御手段と、予め用意された、金額が異なる複数種の貨幣に対応した貨幣画像データと、各貨幣画像データに対応する貨幣の価値情報とに基づき、入力金額と等価の貨幣を表す一つ以上の貨幣画像データを生成する貨幣画像生成手段と、貨幣画像生成手段において生成された一つ以上の貨幣画像データが示す貨幣画像を第２表示領域に表示させる第２表示制御手段と、を備えることを特徴とする。
【０００８】
当該構成により、ユーザの入力操作により入力された金額は、第１表示領域に数字で表示されるとともに、第２表示領域に入力金額と等価の貨幣を表す貨幣画像で表示される。
【０００９】
したがって、請求項１に記載の発明によれば、入力操作を行ったユーザは、第１表示領域における数字だけではなく、第２表示領域における入力金額と等価の貨幣を表す貨幣画像から、入力した金額を直観的に把握することができるため、誤入力が見過ごされる可能性を低下させることができる。
【００１０】
請求項２に記載の入力金額表示装置は、請求項１に記載の入力金額表示装置であって、ユーザによって選択された貨幣の単位を検出し、当該選択された貨幣の単位を設定する貨幣単位設定手段と、単位が異なる複数種類の貨幣間の交換レートが記憶された為替レート記憶手段と、を更に備え、貨幣画像生成手段は、為替レート記憶手段に記憶された為替レートを参照して、取得された入力金額を設定された貨幣の単位に基づいて換算した金額と等価の貨幣を表す一つ以上の貨幣画像データを生成することを特徴とする。
【００１１】
したがって、請求項２に記載の発明によれば、ユーザは、自分の慣れていない貨幣の単位で金額を入力する場合に、自分が慣れている貨幣の単位を選択する操作を行うことにより、当該自分が慣れている貨幣の単位に換算された入力金額を示す貨幣が第２表示領域に表示されることから、入力した金額を直観的に把握することができ、誤入力が見過ごされる可能性を低下させることができる。
【００１２】
請求項３に記載の入力金額表示装置は、請求項１又は請求項２に記載の入力金額表示装置であって、金額は、商品の価格を示すことを特徴とする。
【００１３】
請求項４に記載の入力金額表示装置は、請求項１乃至請求項３の何れか一項に記載の入力金額表示装置であって、取得手段は、ユーザによる金額を入力する操作を検出することで、金額の入力を受け付け、受け付けられた金額を取得することを特徴とする。
【００１４】
請求項５に記載の入力金額表示プログラムは、コンピュータを、金額の入力を受け付け、受け付けられた入力金額を取得する取得手段、入力金額を表す数字を第１表示領域に表示させる第１表示制御手段、予め用意された、金額が異なる複数種の貨幣に対応した貨幣画像データと、各貨幣画像データに対応する貨幣の価値情報とに基づき、入力金額と等価の貨幣を表す一つ以上の貨幣画像データを生成する貨幣画像生成手段と、貨幣画像生成手段において生成された一つ以上の貨幣画像データが示す貨幣画像を第２表示領域に表示させる第２表示制御手段、として機能させることを特徴とする。
【００１５】
したがって、請求項５に記載の発明によれば、請求項１に記載の発明と同様に、入力操作を行ったユーザは、第１表示領域における数字だけではなく、第２表示領域における入力金額と等価の貨幣を表す貨幣画像から、入力した金額を直観的に把握することができるため、誤入力が見過ごされる可能性を低下させることができる。
【００１６】
請求項６に記載の入力金額表示用サーバ装置は、金額の入力を受け付け、受け付けられた入力金額を取得する入力金額表示装置が、電気通信回線網を介して接続される入力金額表示用サーバ装置であって、入力金額表示装置から、当該入力数値表示装置が取得した入力金額を示す金額情報を受信する受信手段と、予め用意された、金額が異なる複数種の貨幣に対応した貨幣画像データと、各貨幣画像データに対応する貨幣の価値情報とに基づき、金額情報が示す入力金額と等価の貨幣を表す一つ以上の貨幣画像データを生成するサーバ貨幣画像生成手段と、生成した貨幣画像データを入力金額表示装置に送信して、入力金額表示装置に貨幣画像データが示す貨幣画像を表示させる送信手段と、を備えることを特徴とする。
【００１７】
したがって、請求項６に記載の発明によれば、請求項１に記載の発明と同様に、入力操作を行ったユーザは、第１表示領域における数字だけではなく、第２表示領域における入力金額と等価の貨幣を表す貨幣画像から、入力した金額を直観的に把握することができるため、誤入力が見過ごされる可能性を低下させることができる。
【００１８】
請求項７に記載の入力金額表示方法は、コンピュータが、金額の入力を受け付け、受け付けられた入力金額を取得するステップと、コンピュータが、入力金額を表す数字を第１表示領域に表示させるステップと、コンピュータが、予め用意された、金額が異なる複数種の貨幣に対応した貨幣画像データと、各貨幣画像データに対応する貨幣の価値情報とに基づき、入力金額と等価の貨幣を表す一つ以上の貨幣画像データを生成するステップと、コンピュータが、生成された一つ以上の貨幣画像データが示す貨幣画像を第２表示領域に表示させるステップと、を含むことを特徴とする。
【００１９】
したがって、請求項７に記載の発明によれば、請求項１に記載の発明と同様に、入力操作を行ったユーザは、第１表示領域における数字だけではなく、第２表示領域における入力金額と等価の貨幣を表す画像から、入力した金額を直観的に把握することができるため、誤入力が見過ごされる可能性を低下させることができる。
【発明の効果】
【００２０】
したがって、本発明によれば、入力操作を行ったユーザは、第１表示領域における数字だけではなく、第２表示領域における入力金額と等価の貨幣を表す貨幣画像から、入力した金額を直観的に把握することができるため、誤入力が見過ごされる可能性を低下させることができる。
【図面の簡単な説明】
【００２１】
【図１】オークションシステムの概要構成の一例を示す図である。
【図２】オークションサーバの概要構成の一例を示すブロック図である。
【図３】会員情報ＤＢに登録される情報の内容の一例を示す図である。
【図４】オークションＤＢに登録される情報の内容の一例を示す図である。
【図５】出品情報に設定される内容の一例を示す図である。
【図６】為替レートＤＢに登録される情報の内容の一例を示す図である。
【図７】ＰＣ端末の概要構成の一例を示すブロック図である。
【図８】ＰＣ端末の表示部に表示される商品詳細ページの画面例を示す図である。
【図９】ＰＣ端末の表示部に表示される商品詳細ページの画面例を示す図である。
【図１０】オークションサーバ及びＰＣ端末の処理例を示すフローチャートである。
【図１１】オークションサーバ及びＰＣ端末の処理例を示すフローチャートである。
【図１２】ＰＣ端末の表示部に表示される商品詳細ページの画面例を示す図である。
【発明を実施するための形態】
【００２２】
以下、図面を参照して本発明の実施形態について説明する。なお、以下に説明する実施の形態は、オークションシステムについて本発明を適用した場合の実施形態である。
【００２３】
［１．オークションシステムの構成及び機能概要］
先ず、本実施形態に係るオークションシステムＳの構成及び概要機能について、図１を用いて説明する。
【００２４】
図１は、本実施形態に係るオークションシステムＳの概要構成の一例を示す図である。
【００２５】
図１に示すように、オークションシステムＳは、会員情報ＤＢ（Data Base）１０１、オークションＤＢ１０２及び為替レートＤＢ１０３を備えるオークションサーバ１と、複数のＰＣ端末２−ｉ（ｉ＝１，２・・・ｎ）と、を含んで構成されている。
【００２６】
オークションサーバ１と、ＰＣ端末２−ｉとは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２７】
このような構成のオークションシステムＳにおいて、オークションサーバ１は、例えば、ネットワークＮＷを通じて各種のサービスを提供するサービス提供事業者により、オークションサービスを提供するために設置されたサーバ装置である。
【００２８】
ＰＣ端末２−ｉのユーザは、これらのサービスを利用するため、会員登録手続を行うようになっている（以下、サービスを利用することができるユーザを「会員」とも称する）。会員になったユーザに対しては、会員ＩＤが付与される。ユーザは、この会員ＩＤを用いてオークションサービスを利用することができる。登録された会員に関する会員情報は会員情報ＤＢ１０１に登録されるようになっている。また、オークションサービスにおける出品に関する情報、入札に関する情報、落札に関する情報等は、オークションＤＢ１０２に登録されている。
【００２９】
そして、オークションサーバ１は、ＰＣ端末２−ｉのリクエストに応じて、オークションＤＢ１０２や会員情報データベース１０１にアクセスしつつ、ＰＣ端末２−ｉのユーザ間におけるオークションを成立させるための処理を行うようになっている。
【００３０】
ＰＣ端末２−ｉは、オークションサーバ１にアクセスしてＷｅｂページを取得し、画面に表示するようになっている。これにより、ユーザは、当該Ｗｅｂページを通じて、商品の出品や入札を行うことができるようになっている。ＰＣ端末２−ｉは、本実施形態においてはパーソナルコンピュータが適用されているが、例えば、ＰＤＡ（Personal Digital Assistant）、ＳＴＢ（Set Top Box）等の端末装置であっても良い。
【００３１】
なお、ＰＣ端末２−ｉには、夫々所定のオペレーティングシステム、Ｗｅｂブラウザアプリケーション、電子メールアプリケーション等がインストールされている。
【００３２】
［２．オークションサーバの構成及び機能］
次に、オークションサーバ１の構成及び機能について、図２乃至図６を用いて説明する。
【００３３】
図２に示すように、オークションサーバ１は、操作部１１と、表示部１２と、通信部１３と、ドライブ部１４と、記憶部１５と、入出力インタフェース部１６と、システム制御部２０と、を備えている。そして、システム制御部２０と入出力インタフェース部１６とは、システムバス２１を介して接続されている。
【００３４】
なお、オークションサーバ１を、例えば、データベースを管理するサーバ、各種情報を提供するＷＷＷサーバ等の複数のサーバ装置により構成されるサーバシステムとしても良い。
【００３５】
操作部１１は、例えば、キーボード、マウス等により構成されており、オペレータ等からの操作指示を受け付け、その指示内容を指示信号としてシステム制御部２０に出力するようになっている。表示部１２は、例えば、ＣＲＴ（Cathode Ray Tube）ディスプレイ、液晶ディスプレイ等により構成されており、文字や画像等の情報を表示するようになっている。通信部１３は、ネットワークＮＷ等に接続して、他のサーバ装置、ＰＣ端末２−ｉ等との通信状態を制御するようになっている。ドライブ部１４は、例えば、フレキシブルディスク、ＣＤ（Compact Disc）、ＤＶＤ（Digital Versatile Disc）等のディスクＤＫからデータ等を読み出す一方、当該ディスクＤＫに対してデータ等を記録するようになっている。記憶部１５は、例えば、ハードディスクドライブ等により構成されており、各種プログラム及びデータ等を記憶するようになっている。入出力インタフェース部１６は、操作部１１〜記憶部１５とシステム制御部２０との間のインタフェース処理を行うようになっている。システム制御部２０は、ＣＰＵ（Central Processing Unit）１７、ＲＯＭ（Read Only Memory）１８、ＲＡＭ（Random Access Memory）１９等により構成されている。
【００３６】
記憶部１５には、会員情報ＤＢ１０１、オークションＤＢ１０２及び為替レートＤＢ１０３が構築されている。
【００３７】
図３に示すように、会員情報ＤＢ１０１には、会員に関する会員情報が、当該会員を識別するための会員ＩＤに対応付けられて登録されている。具体的に会員情報には、例えば、会員ＩＤ、ログインするためのパスワード、会員ランク、会員の氏名、郵便番号、住所、電話番号、電子メールアドレス、生年月日、性別、会員の保有ポイント、クレジットカードのカード番号及びそのクレジットカードの有効期限等が設定される。
【００３８】
図４に示すように、オークションＤＢ１０２には、オークションに関する情報が、各会員毎に、会員ＩＤと対応付けて登録されている。具体的には、オークションデータベース１０２には、会員ＩＤ、会員のニックネーム、入札情報、落札情報、出品情報等が登録されている。
【００３９】
先ず、入札情報は、会員による入札に関する情報であり、入札した商品毎に、オークションＩＤと対応付けて登録されている。具体的に、入札情報には、オークションＩＤ、入札されたことによって付与される入札番号、入札日時、入札個数、入札価格等が設定される。
【００４０】
次に、落札情報は、会員によって落札された商品に関する情報であり、落札した商品毎に、オークションＩＤと対応付けて登録されている。具体的に、落札情報には、オークションＩＤ、入札番号、落札日時、落札個数、落札価格等が設定される。
【００４１】
次に、出品情報は、会員によって出品された商品に関する情報であり、出品された商品毎に、そのオークションを識別するためのオークションＩＤと対応付けて登録されている。具体的には、出品情報には、図５に示すように、オークションＩＤ、出品された商品のカタログ情報のカタログＩＤ、商品名、出品個数、出品された商品が属するジャンルを示すジャンル情報、新品または中古を示す商品状態、商品説明文、開始価格、即落価格、最低入札価格、オークション開始日時、オークション終了日時、出品された商品等の画像データの登録先を示す画像ＵＲＬ、入札件数、現在価格、最高額で入札した会員の会員ＩＤ、当該会員のニックネーム等が設定される。
【００４２】
図６に示すように、為替レートＤＢ１０３には、少なくとも円、ドル、ユーロ、人民元及びニュー台湾ドルの各国間の為替レートを示す為替レート情報が登録されている。これらの各為替レートは、時刻の変化に伴って刻一刻と変化するものであるため、為替レート情報は、システム制御部２０によって、随時、更新されるようになっている。なお、システム制御部２０が為替レート情報を更新する方法については任意であり、例えば、所定の公共機関、或いは、民間のサービス機関の運営するサーバから為替レート情報を取得して、為替レートＤＢ１０３に格納された為替レート情報を更新するようにしても良い。
【００４３】
また、記憶部１５には、Ｗｅｂページを構成するＨＴＭＬデータ、画像データ、音声データ、テキストデータ等が記憶されている。この中には、ユーザが入札金額（最高入札額ともいう）を入力する入札エリアを含む商品詳細ページを表示させるための商品詳細ページ用ＨＴＭＬデータが含まれている。商品詳細ページ用ＨＴＭＬデータには、スクリプトタグが記述されており、当該スクリプトタグにより特定されるスクリプトは、ＰＣ端末２−ｉ等において実行されることで、商品詳細ページの入札エリアにおいてユーザが入札金額を入力する際の入力補助機能を実現する。
【００４４】
更に、記憶部１５には、所定のオペレーティングシステムのほか、ＨＴＴＰ（Hyper Text Transfer Protocol）プロトコルを用いて、ＰＣ端末２−ｉ等から送信されたリクエストに応じて、当該記憶部１５に記憶されている各種のデータに基づきＷｅｂページを生成し、当該ＷｅｂページをＰＣ端末２−ｉ等に送信するためのＷＷＷ（World Wide Web）サーバプログラム、ＳＭＴＰ（Simple Mail Transfer Protocol）プロトコルを用いて、他のメールサーバから送信された電子メールを受信する一方、サーバ自らが作成した電子メールを、他のメールサーバに送信するためのメールサーバプログラム、各データベースを管理するデータベース管理プログラム等が記憶されている。
【００４５】
また更に、記憶部１５には、会員情報ＤＢ１０１に登録されている各種情報を管理する会員情報管理プログラム、オークションＤＢ１０２に登録されている各種情報を管理するオークション情報管理プログラム、為替レートＤＢ１０２に登録されている各種情報を管理する為替情報管理プログラム、オークションサイトにおける出品、入札、落札、出品者と落札者との間の連絡等に関する処理を行うオークション処理プログラム等が記憶されている。
【００４６】
なお、各種プログラム等は、例えば、他のサーバ装置等からネットワークＮＷを介して取得されるようにしても良いし、ＣＤ−ＲＯＭ等のディスクＤＫに記録されてドライブ部１４を介して読み込まれるようにしても良い。
【００４７】
システム制御部２０は、ＣＰＵ１７が、ＲＯＭ１８や記憶部１５に記憶された各種プログラムを読み出し、ＲＡＭ１９を使用しつつ実行することによりオークションサーバ１の各部を制御する。
【００４８】
例えば、システム制御部２０は、ＰＣ端末２−ｉから送信されてきたリクエストを受信し、当該リクエストに応じたＷｅｂページを表示させるためのＨＴＭＬデータ等を送信する。また、システム制御部２０は、ログイン処理を行ったり、ＰＣ端末２−ｉから送信されてきた情報に基づいてオークションＤＢ１０２内の情報を更新したりする。
【００４９】
［３．ＰＣ端末の構成及び機能］
次に、ＰＣ端末２−ｉの構成及び機能について図７乃至図９を用いて説明する。但し、ＰＣ端末２−ｉはオークションサーバ１とほぼ同様の構成を有しているため一部説明を省略し、オークションサーバ１との差異点を中心に説明する。
【００５０】
図７に示すようにＰＣ端末２−ｉは、図２に示したオークションサーバ１と同様に、操作部３１と、表示部３２と、通信部３３と、ドライブ部３４と、記憶部３５と、入出力インタフェース部３６と、システム制御部４０と、を備えている。そして、システム制御部４０と入出力インタフェース部３６とは、システムバス４１を介して接続されている。
【００５１】
操作部３１は、例えば、入札金額を入力可能なキーボードと、マウス等により構成されており、ユーザからの操作指示を受け付け、その指示内容を指示信号としてシステム制御部４０に出力するようになっている。
【００５２】
通信部３３は、ネットワークＮＷ等に接続して、オークションサーバ１やその他のサーバ装置、ＰＣ端末２−ｉ等との通信状態を制御するようになっている。また、当然のことながら、ＰＣ端末２−ｉの記憶部３５には、会員情報ＤＢ及びオークションＤＢは構築されていない。
【００５３】
システム制御部４０は、上述した商品詳細ページ用ＨＴＭＬデータをオークションサーバ１から受信すると、表示部３２に商品詳細ページを表示させる。図８に示すように、商品詳細ページ５００は、ユーザが、出品された商品を入札するか否か等を判断するために閲覧するＷｅｂページであり、当該ページは、商品名表示５１０、出品者情報表示エリア５２０、オークション情報表示エリア５３０、言語選択エリア５４０、入札エリア５５０、画像表示エリア５６０、商品説明文表示エリア５７０、カタログ参照ボタン５８０、入札履歴表示エリア５９０等により構成されている。
【００５４】
商品名表示５１０には、出品された商品の商品名が表示される。また、出品者情報表示エリア５２０には、出品者に関する情報（ニックネーム、取引方法、支払い方法等）が表示される。また、オークション情報表示エリア５３０には、出品された商品のオークションに関する情報（現在価格、残り時間、出品個数、入札件数、開始価格、開始時間、終了時間等）が表示される。
【００５５】
言語選択エリア５４０には、日本語オプションボタン５４１、英語オプションボタン５４２及び中国語オプションボタン５４３が設けられており、ユーザの操作により何れかのオプションボタンが必ず選択されるようになっている。言語選択エリア５４０は、Ｗｅｂページで使用する言語を選択するためのエリアであり、システム制御部４０はここで選択されたオプションボタンに対応する言語を使用言語として設定し、当該設定した使用言語によりＷｅｂページを表示させる。なお、本実施形態では、特に明記しない限り、日本語オプションボタン５４１が選択されているものとする。
【００５６】
入札エリア５５０には、出品された商品に対する入札金額を入力するための入札金額入力エリア５５１と、入力した入札金額での入札を行うための入札ボタン５５３が設けられている。本実施形態においては、入札金額入力エリア５５１には日本円を貨幣の単位とする入札金額が入力され、その金額はアラビア数字で表示される。なお、入札金額入力エリア５５１における貨幣の単位は、オークションサイトを運営するサービス提供事業者が定めることとする。
【００５７】
また、入札エリア５５０には、ユーザによる入札金額入力エリア５５１への入札金額の入力を補助するための入力補助エリア５５２が設けられている。ユーザの操作に基づいて入札金額が入力されると、入札金額入力エリア５５１に当該入力された入札金額を表すアラビア数字が表示されるとともに、入力補助エリア５５２に当該入力された入札金額と等価の貨幣（本願においては紙幣と硬貨を総称したものを貨幣という。）を表す貨幣画像が表示される。なお、図８では、貨幣を簡略的に絵で表現した画像を表示しているが、より写実的な画像を表示してもよい。
【００５８】
また、入札エリア５５０には、入力補助エリア５５２に表示させる貨幣の単位を選択するための貨幣単位選択エリア５５４が設けられている。貨幣の単位とは各国で定められている通貨の単位である。貨幣単位選択エリア５５４には、日本円オプションボタン５５４ａ、米ドルオプションボタン５５４ｂ、ユーロオプションボタン５５４ｃ、人民元オプションボタン５５４ｄ及び台湾ドルオプションボタン５５４ｅが設けられており、ユーザの操作により何れかの貨幣の単位が必ず選択されるようになっている。なお、貨幣単位選択エリア５５４において選択できる貨幣の単位は、少なくとも入札金額入力エリア５５１に入力される貨幣の単位（本実施形態では日本円）を選択できるとともに、初期状態として当該貨幣の単位（本実施形態では日本円）が選択されている。貨幣単位選択エリア５５４においてユーザにより貨幣の単位を選択する操作が行われると、システム制御部４０は、当該選択された貨幣の単位を表示貨幣単位として設定する。
【００５９】
入力補助エリア５５２に表示される金額が異なる複数種の貨幣は、貨幣単位選択エリア５５４で選択された貨幣の単位を定めている国において、その時点で発行されている貨幣である。すなわち、２００９年時点において、日本円オプションボタン５５４ａが選択されていれば、１００００円札、５０００円札、２０００円札、１０００円札、５００円硬貨、１００円硬貨、５０円硬貨、１０円硬貨、５円硬貨、１円硬貨の少なくとも何れかの貨幣を表す貨幣画像データに対応した画像が入力補助エリア５５２に表示される。また、この場合、１００００円札の貨幣画像データは１００００円の貨幣価値に対応し、５０００円札の貨幣画像データは５０００円の貨幣価値に対応し、２０００円札の貨幣画像データは２０００円の貨幣価値に対応し、１０００円札の貨幣画像データは１０００円の貨幣価値に対応し、５００円硬貨の貨幣画像データは５００円の貨幣価値に対応し、１００円硬貨の貨幣画像データは１００円の貨幣価値に対応し、５０円硬貨の貨幣画像データは５０円の貨幣価値に対応し、１０円硬貨の貨幣画像データは１０円の貨幣価値に対応し、５円硬貨の貨幣画像データは５円の貨幣価値に対応し、１円硬貨の貨幣画像データは１円の貨幣価値に対応することは、システム制御部２０において予め設定されている。したがって、例えば、９０００円と等価の貨幣を表すには、(i)「５０００円札を１枚と、２０００円札を２枚」、(ii)「５０００円札を１枚と、１０００円札を４枚」、(iii)「２０００円札を４枚と、１０００円札を１枚」、(iv)「１０００円札を９枚」、など様々な表示方法があるが、何れの表示方法を採用してもよい。
【００６０】
また、貨幣単位選択エリア５５４において、入札金額入力エリア５５１に入力される貨幣の単位（本実施形態では日本円）とは異なる貨幣の単位が選択された場合には、為替レートＤＢ１０３に登録されている為替レート情報に基づいて、入力金額が選択された貨幣の単位に換算された上で、当該換算された入札金額を示す貨幣を表す貨幣画像が入力補助エリア５５２に表示される。例えば、図９に示すように、米ドルオプションボタン５５４ｂが選択されている場合において、入札金額入力エリア５５１に入力された金額が５７５５０円であれば、為替レートＤＢ１０３に登録されている円／ドル為替レート情報（ここでは、１ドル＝９０円と仮定する）に基づいて、６３９ドル４５セントに換算された上で、６３９ドル４５セントを示す米国貨幣を表す画像が入力補助エリア５５２に表示される。
【００６１】
ここで、２００９年時点において、米ドルオプションボタン５５４ｂ、ユーロオプションボタン５５４ｃ、人民元オプションボタン５５４ｄ又は台湾ドルオプションボタン５５４ｅの何れかが選択された場合において、入力補助エリア５５２に表示される貨幣、すなわち、米国、ユーロ圏、中国又は台湾で発行されている貨幣を挙げておく。米国では、紙幣として１００ドル、５０ドル、２０ドル、１０ドル、５ドル、２ドル、１ドルが発行され、硬貨として１００セント、５０セント、２５セント、１０セント、５セント、１セントが発行されている。ユーロ圏では、紙幣として５００ユーロ、２００ユーロ、１００ユーロ、５０ユーロ、２０ユーロ、１０ユーロ、５ユーロが発行され、硬貨として２ユーロ、１ユーロ、５０セント、２０セント、１０セント、５セント、２セント、１セントが発行されている。中国では、紙幣として１００元、５０元、２０元、１０元、５元、１元が発行され、硬貨として1元、５角、１角、５分、２分、１分が発行されている。台湾では、紙幣として２０００円、１０００円、５００円、２００円、１００円が発行され、硬貨として５０円、２０円、１０円、５円、１円、５角が発行されている。この場合、各貨幣の貨幣画像データは、それぞれが表す紙幣又は硬貨の貨幣価値に対応することが、システム制御部２０において予め設定されている。
【００６２】
画像表示エリア５６０には、出品された商品等の画像が表示される。また、商品説明文表示エリア５７０には、出品された商品の説明文が表示される。
【００６３】
カタログ参照ボタン５８０をユーザが選択すると、出品された商品のカタログ情報を表示するカタログページ（図示しない）が画面に表示される。また、入札履歴表示エリア５９０には、これまでの入札の履歴が表示される。
【００６４】
［４．オークションシステムの動作］
次に、オークションシステムＳの動作について、図１０及び図１１を用いて説明する。
【００６５】
図１０に示すように、ＰＣ端末２−ｉのシステム制御部４０は、オークションページ（図示しない）を表示するため、ユーザ操作によりページリクエストをオークションサーバ１に送信する（ステップＳ１０１）。オークションサーバ１のシステム制御部２０は、ページリクエストを受信すると（ステップＳ１１１）、ログインページ用ＨＴＭＬデータをＰＣ端末２−ｉに送信する（ステップＳ１１２）。ＰＣ端末２−ｉのシステム制御部４０は、ログインページ用ＨＴＭＬデータを受信すると、ログインページを表示部３２に表示させる（ステップＳ１０２）。
【００６６】
ここでユーザは、自身が会員登録されている場合には会員ＩＤ及びパスワードを入力し、自身が会員登録されていない場合には、会員登録に必要な個人情報（パスワード、氏名、郵便番号、電話番号、電子メールアドレス等）を入力する（ステップＳ１０３）。ＰＣ端末２−ｉのシステム制御部４０は、入力操作を検出すると入力された会員ＩＤ及びパスワード、又は、個人情報をオークションサーバ１に送信する（ステップＳ１０４）。
【００６７】
オークションサーバ１のシステム制御部２０は、会員ＩＤ及びパスワードか、個人情報を受信すると（ステップＳ１１３）、受信した情報が会員ＩＤ及びパスワードであるか否かを判定する（ステップＳ１１４）。このとき、システム制御部２０は、受信した情報が個人情報である場合には（ステップＳ１１４：ＮＯ）、新しい会員ＩＤを発行し、受信した個人情報を会員情報として新しい会員ＩＤに対応付けて会員情報ＤＢ１０１に登録する（ステップＳ１１５）。
【００６８】
一方、システム制御部２０は、受信した情報が会員ＩＤ及びパスワードである場合には、この会員ＩＤ及びパスワードでユーザ認証を行い、当該認証が成功したか否かを判定する（ステップＳ１１６）。このとき、システム制御部２０は、ユーザ認証に成功しなかった場合には（ステップＳ１１６：ＮＯ）、エラー表示ページ用ＨＴＭＬデータをＰＣ端末２−ｉに送信し（ステップＳ１１７）、当該フローチャートにおける処理を終了させる。なお、ＰＣ端末２−ｉはエラー表示ページ用ＨＴＭＬデータを受信すると、エラー表示ページを表示部３２に表示させる。
【００６９】
システム制御部２０は、会員情報を登録した場合（ステップＳ１１５）、又は、ユーザ認証に成功した場合には（ステップＳ１１６：ＹＥＳ）、発行又は受信した会員ＩＤをセッション管理によってＰＣ端末２−ｉに対応付け、ログイン後ページ用ＨＴＭＬデータをＰＣ端末２−ｉに送信する（ステップＳ１１８）。ＰＣ端末２−ｉのシステム制御部４０は、ログイン後ページ用ＨＴＭＬデータを受信すると、ログイン後ページを表示部３２に表示させる（ステップＳ１０５）。ログイン後ページは、例えば、オークションサイトのトップページ等である。
【００７０】
その後、図１１に示すように、ＰＣ端末２−ｉのシステム制御部４０は、ユーザによる商品の検索操作や選択操作に応じて、商品詳細リクエストをオークションサーバ１に送信する（ステップＳ２０１）。オークションサーバ１のシステム制御部２０は、商品詳細リクエストを受信すると（ステップＳ２１１）、商品詳細ページ用ＨＴＭＬデータをＰＣ端末２−ｉに送信する（ステップＳ２１２）。ＰＣ端末２−ｉのシステム制御部４０は、商品詳細ページ用ＨＴＭＬデータを受信すると、商品詳細ページ５００（図８参照）を表示部３２に表示させる（ステップＳ２０２）。
【００７１】
次いで、システム制御部４０は、商品詳細ページ５００を表示させている状態において、ユーザによる入札ボタン５５３を選択する操作を検出したか否かを判定する（ステップＳ２０３）。このとき、システム制御部４０は、入札ボタン５５３を選択する操作を検出していないと判定した場合には（ステップＳ２０３：ＮＯ）、次いで、ユーザによる入札金額入力エリア５５１への入札金額の入力操作を検出したか否かを判定する（ステップＳ２０４）。
【００７２】
このとき、システム制御部４０は、入札金額の入力操作を検出していないと判定した場合には（ステップＳ２０４：ＮＯ）、ステップＳ２０３の処理に移行する。一方、システム制御部４０は、入札金額の入力操作を検出したと判定した場合には（ステップＳ２０４：ＹＥＳ）、入札金額入力エリア５５１及び入力補助エリア５５２の表示を更新する（ステップＳ２０５）。
【００７３】
具体的には、システム制御部４０は、商品詳細ページ用ＨＴＭＬデータに記述されているスクリプトタグにより特定されるスクリプトを実行することにより、入札金額入力エリア５５１へ数字を入力する操作を検出する毎に、アラビア数字が最下位の桁へ順に追記されていくように入札金額入力エリア５５１の表示を更新する。これに伴って、システム制御部４０は、当該入札金額入力エリア５５１においてアラビア数字で表示されている金額と等価の貨幣を表す貨幣画像が表示されるように入力補助エリア５５２の表示を更新する。
【００７４】
例えば、システム制御部４０は、貨幣単位選択エリア５５４において日本円が選択されている場合に、入札金額入力エリア５５１に金額が入力されていない状態で、「１」、「５」、「５」、「５」、「０」と、次々に数字を入力する操作を検出した場合には、入札金額入力エリア５５１の表示を、「１」、「１５」、「１５５」、「１５５５」、「１５５５０」と次々に更新していく。これに伴って、システム制御部４０は、入力補助エリア５５２の表示も、「１円硬貨×１枚」の画像、「１０円硬貨×１枚と、５円硬貨×１枚」の画像、「１００円硬貨×１枚と、５０円硬貨×１枚と、５円硬貨×１枚」の画像、「１０００円札×１枚と、５００円硬貨×１枚と、５０円硬貨×１枚と、５円硬貨×１枚」の画像、「１００００円札×１枚と、５０００円札×１枚と、５００円硬貨×１枚と、５０円硬貨×１枚」の画像、と次々に更新していく。
【００７５】
また、システム制御部４０は、貨幣単位選択エリア５５４において日本円以外の貨幣の単位が選択されている場合には、オークションサーバ１の為替レートＤＢ１０３に登録されている為替レート情報を参照して、入札金額入力エリア５５１に入力された入札金額を選択された貨幣の単位に基づいて換算した上で、換算後の金額を示す貨幣を表す画像を入力補助エリア５５２に表示させる。
【００７６】
なお、本実施形態では、スクリプトにしたがって、予め用意された、金額が異なる複数種の貨幣に対応した貨幣画像データと、各貨幣画像データに対応する貨幣の価値情報とに基づき、入札金額入力エリア５５１に入力された入札金額と等価の貨幣を表す一つ以上の貨幣画像データを、入力補助エリア５５２に表示する画像を生成する処理が行われることとなるが、生成処理を実行するのはスクリプトに限られない。例えば、システム制御部４０が当該生成処理を実行する構成としてもよいし、また、オークションサーバ１のシステム制御部２０が、入札金額入力エリア５５１に入力された入札金額情報をＰＣ端末２−ｉから受信し、これに基づいて当該生成処理を行った上で当該ＰＣ端末２−ｉに送り返す、という構成にしてもよい。但し、前者の構成とした場合であっても、為替レートＤＢ１０３に登録されている為替レート情報に基づく入力金額の換算処理が必要な場合には、ＰＣ端末２−ｉのシステム制御部４０は、(i)換算前の入力金額情報をオークションサーバ１に送信し、オークションサーバ１に換算処理を行ってもらい、その出力結果である換算後の入力金額情報を受信する処理、または、(ii)オークションサーバ１に為替レート情報の送信要求をし、その為替レート情報を受信する処理、を行う必要がある。システム制御部４０は、ステップＳ２０５の処理を終えるとステップＳ２０３の処理に移行する。
【００７７】
また、ＰＣ端末２−ｉのシステム制御部４０は、ステップＳ２０３の処理で入札ボタン５５３を選択する操作を検出したと判定した場合には（ステップＳ２０３：ＹＥＳ）、次いで、入札金額入力エリア５５１に入力された入札金額を示す入札金額情報をオークションサーバ１に送信する（ステップＳ２０６）。なお、システム制御部４０は、入札ボタン５５３を選択する操作を検出した際、(i)入札金額が入力されていない場合、(ii)入札金額が現在の入札金額より低い場合には、エラー画面を表示させ、ユーザに再入力を促すこととする。
【００７８】
他方、オークションサーバ１のシステム制御部２０は、ＰＣ端末２−ｉから入札金額情報を受信すると（ステップＳ２１３）、当該入札金額情報に基づいて入札処理を実行し（ステップＳ２１４）、当該フローチャートにおける処理を終了する。システム制御部２０は、入札処理として、オークションＤＢ１０２における入札情報や出品情報の更新等を行う。
【００７９】
以上説明したように、本実施形態のＰＣ端末２−ｉ（「入力金額表示装置」の一例）は、ユーザによる入札金額の入力操作に基づいて、入札金額（「入力金額」の一例）を取得するシステム制御部４０（「取得手段」の一例）と、入札金額を表す数字を入札金額入力エリア５５１（「第１表示領域」の一例）に表示させるシステム制御部４０（「第１表示制御手段」の一例）と、予め用意された、金額が異なる複数種の貨幣（例えば、１００００円札、５０００円札、１０００円札、５００円硬貨、１００円硬貨、５０円硬貨、１０円硬貨、５円硬貨、１円硬貨）に対応した貨幣画像データと、各貨幣画像データに対応する貨幣の価値情報（例えば、１００００円札の貨幣画像データに対する価値情報は１００００（円）、５０００円札の貨幣画像データに対する価値情報は５０００（円）、１０００円札の貨幣画像データに対する価値情報は１０００（円）、５００円硬貨の貨幣画像データに対する価値情報は５００（円）、１００円硬貨の貨幣画像データに対する価値情報は１００（円）、５０円硬貨の貨幣画像データに対する価値情報は５０（円）、１０円硬貨の貨幣画像データに対する価値情報は１０（円）、５円硬貨の貨幣画像データに対する価値情報は５（円）、１円硬貨の貨幣画像データに対する価値情報は１（円））とに基づき、入札金額と等価の貨幣を表す一つ以上の貨幣画像データを生成するシステム制御部４０（「貨幣画像生成手段」の一例）と、生成された一つ以上の貨幣画像データが示す貨幣画像を入力補助エリア５５２（「第２表示領域」の一例）に表示させるシステム制御部４０（「第２表示制御手段」の一例）と、を備える。当該構成により、ユーザにより入力された入札金額は、入札金額入力エリア５５１に数字で表されるとともに、入力補助エリア５５２に入札金額と等価の貨幣を表す貨幣画像によって表される。
【００８０】
したがって、本実施形態によれば、ユーザは、入札金額入力エリア５５１におけるアラビア数字の表示だけではなく、入力補助エリア５５２における入力金額と等価の貨幣を表す貨幣画像から、入力した入札金額を直観的に把握することができるため、誤入力が見過ごされる可能性を低下させることができる。
【００８１】
また、本実施形態に係るＰＣ端末２−ｉは、貨幣単位選択エリア５５４におけるユーザによる貨幣の単位を選択する操作に基づいて、当該選択された貨幣の単位を表示貨幣単位として設定するシステム制御部４０（「貨幣単位設定手段」の一例）を更に備え、システム制御部４０は、為替レートＤＢ１０３（「為替レート記憶手段」の一例）に記憶された為替レート情報を参照して、入力された入札金額を、設定された表示貨幣単位に基づいて換算した金額を示す貨幣を表す貨幣画像を入力補助エリア５５２に表示させる。
【００８２】
したがって、ユーザは、自分の慣れていない貨幣の単位で入札金額を入力する場合に、貨幣単位選択エリア５５４において自分が慣れている貨幣の単位を選択する操作を行うことにより、当該自分が慣れている貨幣の単位に換算された入力金額を示す貨幣が入力補助エリア５５２に表示されることから、入力した金額を直観的に把握することができ、誤入力が見過ごされる可能性を低下させることができる。
【００８３】
また、オークションサーバ１（「入力金額表示用サーバ装置」の一例）は、ユーザによる金額の入力操作に基づいて、入札金額（「入力金額」の一例）を取得するシステム制御部４０（「取得手段」の一例）と、入札金額を表す数字を入札金額入力エリア５５１（「第１表示領域」の一例）に表示させるシステム制御部４０（「表示制御手段」の一例）と、を有するＰＣ端末２−ｉ（「入力金額表示装置」の一例）が、ネットワークＮＷ（「電気通信回線網」の一例）を介して接続され、ＰＣ端末２−ｉから、入札金額を示す金額情報を受信するシステム制御部２０（「受信手段」の一例）と、予め用意された、金額が異なる複数種の貨幣に対応した貨幣画像データと、各貨幣画像データに対応する貨幣の価値情報とに基づき、入札金額と等価の貨幣を表す一つ以上の貨幣画像データを生成するシステム制御部２０（「サーバ貨幣画像生成手段」の一例）と、生成した貨幣画像データをＰＣ端末２−ｉに送信するシステム制御部２０（「送信手段」の一例）と、を備える構成としてもよい。当該構成とした場合にも、ユーザは、入札金額入力エリア５５１におけるアラビア数字のみの表示だけではなく、入力補助エリア５５２における入力金額と等価の貨幣を表す画像から、入力した入札金額を直観的に把握することができるため、誤入力が見過ごされる可能性を低下させることができる。
【００８４】
なお、図１２に示すように、入力補助エリア５５２における貨幣の表示は、入札金額入力エリア５５１に入力された金額と等価となるように、貨幣の種別（具体的には、日本円の場合、１００００円札、５０００円札、２０００円札、１０００円札、５００円硬貨、１００円硬貨、５０円硬貨、１０円硬貨、５円硬貨、１円硬貨）毎に、その枚数を示す数字を表示する構成としてもよい。
【００８５】
また、本実施形態では、入力補助エリア５５２には、貨幣単位選択エリア５５４において選択された貨幣の単位を定めている国でその時点で発行されている貨幣を表示させることとしているが、実際に発行されていない貨幣を表す画像を表示させることとしてもよい。例えば、日本では２００９年時点において「１００万円札」は発行されていないが、仮想の「１００万円札」を表す画像を表示させることとしてもよい。これにより、入札金額として１００万円が入力された場合に１万円札を１００枚表示させなくてすむ。
【００８６】
また、貨幣の単位である表示貨幣単位を、ユーザ端末２−ｉのアクセス地域（国）に基づいて、自動で設定してもよい。
【００８７】
また、本実施形態ではオークションシステムＳにおいて入札金額を入力する場合について本発明を適用したが、金額を入力する様々なケースについて本発明を適用することができる。例えば、販売業者がインターネット上でネットショップを運営する場合において、販売業者が商品の価格を入力するケースについて適用することができる。
【００８８】
また、サービス提供事業者は、オークションのほか、例えば、ネットショッピング、宿泊施設予約、ゴルフ場予約等のサービスを提供していてもよい。ネットショッピングの場合においては、例えば、商品を買い物かごに入れた後、購入の前に買い物かご内の商品の合計額を確認するために行う操作（例えば、確認ボタンの押下）によって、合計額（「入力金額」の一例）の入力を受け付けてもよい。あるいは、ネットショッピングの場合において、例えば、商品を購入するために行う操作（例えば、購入ボタンの押下）によって、購入額（「入力金額」の一例）の入力を受け付けてもよい。宿泊施設予約及びゴルフ場予約の場合においては、例えば、宿泊施設又はゴルフ場の予約をするために行う操作（例えば、予約ボタンの押下）によって、施設（ゴルフ場）使用料（「入力金額」の一例）の入力を受け付けてもよい。
【符号の説明】
【００８９】
１  オークションサーバ
１１  オークションサーバ／操作部
１２  オークションサーバ／表示部
１３  オークションサーバ／通信部
１４  オークションサーバ／ドライブ部
１５  オークションサーバ／記憶部
１６  オークションサーバ／入出力インタフェース部
１７  オークションサーバ／ＣＰＵ
１８  オークションサーバ／ＲＯＭ
１９  オークションサーバ／ＲＡＭ
２０  オークションサーバ／システム制御部
２１  オークションサーバ／システムバス
１０１  オークションサーバ／会員情報ＤＢ
１０２  オークションサーバ／オークションＤＢ
１０３  オークションサーバ／為替レートＤＢ
２―ｉ  ＰＣ端末
３１  ＰＣ端末／操作部
３２  ＰＣ端末／表示部
３３  ＰＣ端末／通信部
３４  ＰＣ端末／ドライブ部
３５  ＰＣ端末／記憶部
３６  ＰＣ端末／入出力インタフェース部
３７  ＰＣ端末／ＣＰＵ
３８  ＰＣ端末／ＲＯＭ
３９  ＰＣ端末／ＲＡＭ
４０  ＰＣ端末／システム制御部
４１  ＰＣ端末／システムバス
ＮＷ  ネットワーク
Ｓ  オークションシステム
【図１】
2011118472.tif 000003
【図２】
2011118472.tif 000004
【図３】
2011118472.tif 000005
【図４】
2011118472.tif 000006
【図５】
2011118472.tif 000007
【図６】
2011118472.tif 000008
【図７】
2011118472.tif 000009
【図８】
2011118472.tif 000010
【図９】
2011118472.tif 000011
【図１０】
2011118472.tif 000012
【図１１】
2011118472.tif 000013
【図１２】
2011118472.tif 000014